(57)【要約】【課題】  不使用光回線を監視する。【解決手段】  光信号分配装置１２、３２の光クロスコネクト装置１４、３４に、線路測定装置２４，４４及びダミー光源２６，４６が接続する。ネットワーク管理サーバ７０は、信号光分配装置１２，３２の光クロスコネクト装置１４，３４を遠隔制御することで、端末１０−１〜１０−ｎ，３０−１〜３０−ｍ間に所望の光増幅線路を通る光パスを設定できる。ネットワーク管理サーバ７０は、信号光を伝送しない光増幅線路、例えば光増幅線路５０には、何れかのダミー光源、例えばダミー光源２６からのダミー光を常時、流すように、光クロスコネクト装置１４を制御する。線路測定装置２４又は４４が、光増幅線路５０の障害の有無を常時、監視し、監視結果を制御ネットワーク２２を介してネットワーク管理サーバ７０に通知する。【選択図】  図１
2006196938.tif 000002
【特許請求の範囲】
【請求項１】
複数の光信号分配装置と、当該複数の光信号分配装置間を接続する複数の光線路とを具備し、光パスを切替え可能な光ネットワークシステムであって、不使用の光線路にダミー光を供給することを特徴とする光ネットワークシステム。
【請求項２】
当該ダミー光の波長が、当該光線路の信号波長帯に属することを特徴とする請求項１に記載の光ネットワークシステム。
【請求項３】
当該複数の光信号分配装置の１以上に、当該ダミー光を発生するダミー光源を接続することを特徴とする請求項１に記載の光ネットワークシステム。
【請求項４】
更に、当該ダミー光を供給された当該不使用の光線路の障害を光学的に検出する光学測定装置を具備することを特徴とする請求項１乃至３の何れか１項に記載の光ネットワークシステム。
【請求項５】
当該光線路が、光増幅線路である請求項１乃至４の何れか１項に記載の光ネットワークシステム。
【発明の詳細な説明】
【技術分野】
【０００１】
本発明は、光ネットワークシステムに関する。
【背景技術】
【０００２】
光ネットワークシステムの光線路には、通常、光アンプが配備される。光アンプには、入力光の有無を監視し、入力光が無い場合に光増幅をシャットダウンさせる機能が付加されているものがある。
【０００３】
また、メッシュ又はリング等の多様な光パスを設定可能な光ネットワーク又は現用の光経路以外に予備の光経路を提供可能な光ネットワークでは、信号光が全く伝搬しない光線路が存在し得る。
【０００４】
光伝送路を遠隔監視する技術として、主要なポイントでの信号光の有無を計測する技術、及び、監視用光又は信号光の反射光又は後方散乱光を監視するＯＴＤＲ（Coherent Optical Time Domain Reflectometry）又はＣ−ＯＴＤＲ（Coherent ＯＴＤＲ）が知られている。
【発明の開示】
【発明が解決しようとする課題】
【０００５】
入力光監視機能付きの光アンプが配置された光伝送路に信号光が入力されない場合、光アンプの入力光監視機能が動作して、光アンプの励起光をストップしてしまう。光アンプの入力光監視機能を動作させずに、光アンプに励起光を供給しつづけると、光パスの切替え等により信号光が光アンプに入力したときに、光アンプ内で光サージが発生し、その後段に配置されている光アンプや光デバイスを最悪、破壊してしまう。従って、信号光が入力していない光アンプを励起状態に保持すべきではない。
【０００６】
光アンプの励起光がストップしていると、光信号が減衰して、光伝送路を伝搬できなくなってしまう。その結果、その光伝送路で発生し得る断線等の線路障害を上述の監視機能で監視することが出来なくなってしまう。その後、新たに信号伝送に使用する必要が生じたときに、先ず、光伝送路に障害が無いかどうかを計測しなければならず、迅速に光線路を切り替える用途では使いにくい。
【０００７】
本発明は、信号伝送に使用していない光伝送路を監視可能な光ネットワークシステムを提示することを目的とする。
【課題を解決するための手段】
【０００８】
本発明に係る光ネットワークシステムは、複数の光信号分配装置と、当該複数の光信号分配装置間を接続する複数の光線路とを具備し、光パスを切替え可能な光ネットワークシステムであって、不使用の光線路にダミー光を供給することを特徴とする。
【発明の効果】
【０００９】
本発明によれば、不使用の光線路にダミー光を供給することにより、既存の光学測定装置により線路障害の有無を光学的に計測できる。また、不使用の光増幅線路上の光アンプを所定の動作状態に維持できるので、光パスを設定する際に光サージが発生するのを抑制できる。また、光パスの有無に関わらず、光増幅線路の障害監視が可能である。
【発明を実施するための最良の形態】
【００１０】
以下、図面を参照して、本発明の実施例を詳細に説明する。
【００１１】
図１は、本発明の一実施例の概略構成ブロック図を示す。複数の端末１０（１０−１〜１０−ｎ）が、光信号分配装置１２の光クロスコネクト装置１４に接続する。光クロスコネクト装置１４は、複数の入力ポート及び複数の出力ポートを具備し、複数の入力信号光のそれぞれを所望の出力ポートに分配可能な周知の装置である。光クロスコネクト装置１４には、互いに異なる波長の信号光を多重してＷＤＭ信号光を生成するＷＤＭ（波長分割多重）多重装置１６，１８、ＷＤＭ信号光を個々の波長の信号光に分離するＷＤＭ分離装置２０，２２、線路測定装置２４及びダミー光源２６が接続する。線路測定装置２４は、例えば、光パワー測定器、ＯＴＤＲ測定装置、Ｃ−ＯＴＤＲ測定装置、波長分散モニタ又は偏波モード分散モニタ等の光学測定装置からなる。詳細は後述するが、ダミー光源２６は、信号光を伝送していない光線路を線路測定装置２４又は他の光信号分配装置の線路測定装置を使って監視する為の、信号波長帯に属する波長の光源であり、例えば、ＡＳＥ（Amplified Spontaneous Emission）光源、レーザダイオード、変調されたＤＦＢ（Distributed Feedback Bragg reflector）光源、又は、無変調のＤＦＢ光源からなる。
【００１２】
同様に、複数の端末３０（３０−１〜３０−ｍ）が、光信号分配装置３２の光クロスコネクト装置３４に接続する。光クロスコネクト装置３４には、ＷＤＭ多重装置３６，３８、ＷＤＭ分離装置４０，４２、線路測定装置２４と同様の機能の線路測定装置４４、及びダミー光源４６が接続する。
【００１３】
図１に示す実施例では、ＷＤＭ多重装置１６の出力信号光（ＷＤＭ信号光）は、光増幅線路５０を介してＷＤＭ分離装置４０に入力する。光増幅線路５０は、光ファイバ５２及び光アンプ５４を具備する。同様に、ＷＤＭ多重装置３６の出力信号光（ＷＤＭ信号光）は、光増幅線路５６を介してＷＤＭ分離装置２０に入力する。光増幅線路５６は、光ファイバ５８及び光アンプ６０を具備する。
【００１４】
ＷＤＭ多重装置１８の出力信号光は、光増幅線路６２を介して図示しない第３の光信号分配装置に供給され，第３の光信号分配装置の出力するＷＤＭ信号光が、光増幅線路６４を介してＷＤＭ分離装置２２に入力する。ＷＤＭ多重装置３８の出力信号光は光増幅線路６６を介して図示しない第４の光信号分配装置に供給され，第４の光信号分配装置の出力するＷＤＭ信号光が、光増幅線路６８を介してＷＤＭ分離装置４２に入力する。
【００１５】
ネットワーク管理サーバ７０は、制御ネットワーク７２を介して、各光信号分配装置１２，３２を制御及び監視する。ネットワーク管理サーバ７０はまた、光増幅線路５０，５６，６２，６４，６６，６８上の光アンプ５４，６０の動作状態を監視し、その励起光のオン／オフを遠隔制御できる。
【００１６】
ネットワーク管理サーバ７０は、光信号分配装置１２，３２の光クロスコネクト装置１４，３４を遠隔制御することで、端末１０−１〜１０−ｎ，３０−１〜３０−ｍ間に所望の光増幅線路を通る光パスを設定できる。
【００１７】
このような光ファイバ通信ネットワークでは、光増幅線路の不慮の障害に備えて、代替線路が予め用意されている。そのような代替線路は、通常時には全く使用されないか、又は、障害発生時に代替回線を提供しない低品質サービスに使用される。後者の場合、何らかの信号光が光増幅線路に流れるので、線路測定装置２４により、その光回線の障害発生の有無を常時、監視可能である。しかし、前者の場合、信号光が全く伝送されていないので、線路測定装置２４，４４によっても、光増幅線路の障害を監視できない。使用していないうちに障害が発生する可能性もある。この光増幅線路を予備径路とする現用光回線に障害が発生していた場合、予備径路としてこの光増幅線路に切り替えてみて、初めてこの光増幅線路が不通であることが分かる。これでは、予備光回線としての役割を果たせない。
【００１８】
そこで、本実施例では、信号光を伝送しない光増幅線路（以下、不使用光増幅線路という）には、何れかのダミー光源からのダミー光を常時、流すようにした。そして、何れかの線路測定装置が、その光増幅線路の障害の有無を常時、監視し、監視結果を制御ネットワーク７２を介してネットワーク管理サーバ７０に通知する。
【００１９】
例えば、光増幅線路５０を、信号光を伝送していない全くの予備光回線としている場合、サーバ７０は、光信号分配装置１２の光クロスコネクト装置１４を制御して、ダミー光源２６の出力ダミー光を光増幅線路５０に出力させる。そして、サーバ７０は、線路測定装置２４又は同４４に光増幅線路５０の伝送状態を測定させる。線路測定装置２４又は同４４は、測定結果をサーバ７０に通知する。
【００２０】
このように、本実施例では、不使用光増幅線路にダミー光を伝送させることで、既存の光線路監視技術を利用して、不使用回線が利用可能な状態かどうかを常時、計測及び監視することができる。不使用光増幅線路に常時、ダミー光を供給することで、光増幅線路上の光アンプ５４，６０として、光入力が無いときに自動的にシャットダウンする光アンプを使用できる。また、光入力が無い状態でも光アンプを励起しておいた場合、現用に切り替えたときに急に光信号が入力することにより、光サージが起きがちである。本実施例では、不使用光増幅線路上の光アンプを動作状態で待機させることができるので、現用に切り替えた時にも、光サージを防止できる。
【００２１】
このように、本実施例では、光増幅線路を監視する為の特別の波長を用意しなくても、不使用光増幅線路を常時、監視できるので、波長利用効率が向上する。
【００２２】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００２３】
【図１】本発明の一実施例の概略構成ブロック図である。
【符号の説明】
【００２４】
１０（１０−１〜１０−ｎ）：端末
１２：光信号分配装置
１４：光クロスコネクト装置
１６，１８：ＷＤＭ（波長分割多重）多重装置
２０，２２：ＷＤＭ分離装置
２４：線路測定装置
２６：ダミー光源
３０（３０−１〜３０−ｍ）：端末
３２：光信号分配装置
３４：光クロスコネクト装置
３６，３８：ＷＤＭ（波長分割多重）多重装置
４０，４２：ＷＤＭ分離装置
４４：線路測定装置
４６：ダミー光源
５０：光増幅線路
５２：光ファイバ
５４：光アンプ
５６：光増幅線路
５８：光ファイバ
６０：光アンプ
６２，６４，６６，６８：光増幅線路
７０：ネットワーク管理サーバ
７２：制御ネットワーク
【図１】
2006196938.tif 000003